(57)【要約】【課題】アオリ運動を促進する靴底【解決手段】靴底に、踵骨端部、立方骨および第５中足骨中央を結んだ想定線（Ａ１）、及び想定線（Ａ１）と連続していて第４中足骨中央、第３中足骨中央及び第２中足骨中央を経て母趾末節骨へ抜ける想定線（Ａ２）と、踵骨端部、距骨、舟状骨、楔状骨及び第１中足骨骨頭を結んだ想定線（Ｂ１）、及び想定線（Ｂ１）と連続していて母趾基節骨を経て母趾末節骨へ抜ける想定線（Ｂ２）とを描き、想定線（Ａ１）及び（Ａ２）、及び（Ｂ１）並びに（Ｂ２）で囲繞された部分を領域（Ｒ１）、想定線（Ａ２）から、時計面において１２時と３時の間を領域（Ｒ２）、想定線（Ｂ１）から６時と９時の間を領域（Ｒ３）とした靴底において、領域（Ｒ２）および領域（Ｒ３）の材料の硬度（Ｃ  ＴＹＰＥ）を同じにし、且つ、領域（Ｒ１）の材料の硬度（Ｃ  ＴＹＰＥ）を領域（Ｒ２）および領域（Ｒ３）の材料の硬度（Ｃ  ＴＹＰＥ）より低くする。【選択図】図６
2015039625.tif 000002
【特許請求の範囲】
【請求項１】
靴底に足の骨格構造を対応させ、靴底に、
踵骨端部（１）、立方骨（２）および第５中足骨中央（３）を結んだ想定線（Ａ１）、及び前記想定線（Ａ１）と連続していて第４中足骨中央（４）、第３中足骨中央（５）及び第２中足骨中央（６）を経て母趾末節骨（７）へ抜ける想定線（Ａ２）と、
踵骨端部（１）、距骨（８）、舟状骨（９）、楔状骨（１０）及び第１中足骨骨頭（１１）を結んだ想定線（Ｂ１）、及び前記想定線（Ｂ１）と連続していて母趾基節骨（１２）を経て母趾末節骨（７）へ抜ける想定線（Ｂ２）とを描き、
前記想定線（Ａ１）及び（Ａ２）、及び（Ｂ１）並びに（Ｂ２）で囲繞された部分を領域（Ｒ１）、前記想定線（Ａ２）から、時計面において１２時と３時の間（左足靴底にあっては９時と１２時の間）を領域（Ｒ２）、及び前記想定線（Ｂ１）から６時と９時の間（左足靴底にあっては３時と６時の間）を領域（Ｒ３）とした靴底において、
前記領域（Ｒ２）および前記領域（Ｒ３）の材料の硬度（Ｃ  ＴＹＰＥ）を同じにし、且つ、前記領域（Ｒ１）の材料の硬度（Ｃ  ＴＹＰＥ）を、前記領域（Ｒ２）および前記領域（Ｒ３）の材料の硬度（Ｃ  ＴＹＰＥ）より低くすることによりアオリ効果を向上させた靴底。
【請求項２】
前記領域（Ｒ２）および前記領域（Ｒ３）の材料の硬度（Ｃ  ＴＹＰＥ）と、前記領域（Ｒ１）の材料の硬度（Ｃ  ＴＹＰＥ）の差が９〜２１度の範囲であることを特徴とする請求項１に記載した靴底。
【請求項３】
前記領域（Ｒ１）の材料の硬度（Ｃ  ＴＹＰＥ）が５５±３度、前記領域（Ｒ２）および前記領域（Ｒ３）の材料の硬度（Ｃ  ＴＹＰＥ）が７０±３度であることを特徴とする請求項１または２に記載した靴底。
【発明の詳細な説明】
【技術分野】
【０００１】  本発明は靴底に関する。より詳細に述べれば、本発明は、アオリ運動を促進させるような構造の靴底に関する。
【背景技術】
【０００２】  図１はヒトが歩行或いは走行する際の足の運動を大まかに▲１▼〜▲４▼の４つのステップに分解した図である。図１−１は、にヒトが歩行或いは走行するときの運動を▲１▼〜▲４▼の４つのステップに分解し、それぞれのステップにおける足の部位と、曲線で示した縦方向アーチの連動状態を示す概念図である。ステップ▲１▼で、膝を伸ばして踵から着地する。ステップ▲２▼で、踵にかかった重心は外側アーチに沿って移動し、踵と踏みつけ部が着地する。ステップ▲３▼で、外側アーチに沿って移動した重心は第５中足骨の骨頭部から母趾側に移動し、爪先における蹴上げ動作の初期運動に移行する。ステップ▲４▼で、ステップ▲３▼で母趾側に移動した重心は、親指の方向に抜けていき、母趾と第２趾を使って地面を蹴る。この連続した体重の移動を「アオリ運動」という。換言すれば、「アオリ運動」は、足の回外運動と回内運動の二つの運動が組み合わさった運動で、足の縦アーチと横アーチを利用することにより、足が歩行中に荷重中心を後方→前方へと移動させながら同時に内側⇔外側にもヒラヒラと移動させる運動をいうこともできる。【０００３】  上述した歩行或いは走行する際の足の運動状態を足に負荷される足圧の分布状態から検討する。図１−２は、ヒトが歩行或いは走行する際の足に負荷される、いわゆる足圧の分布状態を足圧分布測定システム「Ｆスキャン」で測定した結果を、図１−１の▲１▼〜▲４▼の４つのステップに圧縮して図に画き起こしたものである。図１−２に示したように、ステップ▲１▼で、膝を伸ばして踵から着地すると、踵骨の中心に最も大きな足圧が負荷され、ほぼ等間隔で足圧が低減し、ステップ▲１▼で踵にかかった足圧はステップ▲２▼外側アーチに沿って踏みつけ部に移動し、外側アーチに沿って移動した足圧はステップ▲３▼で、第５中足骨の骨頭部から母趾側に移動し、爪先における蹴上げ動作の初期運動に移行し、ステップ▲４▼で、ステップ▲３▼で母趾側に移動した足圧は、親指の方向に抜ける。従って、靴の設計において、「アオリ運動」を設計の基本概念として、歩行している際の足裏にかかる力の分布及び力のベクトル方向を確認して、その力を支持し、安定させることができる構造の靴底とすれば、理想的な靴が提供されると考えられる。【０００４】  従来から、「アオリ運動」を基本概念として設計した靴底が提案されている。
たとえば、特許文献１は、接地時に外旋方向の回転トルクを発生する外旋底部材を靴底の踵部に形成するとともに、接地時に内旋方向の回転トルクを発生する内旋底部材を靴底の小指球部に形成し、歩行形態をアオリ歩行に矯正することができる靴底及びその靴底を有する靴を開示している。そして、外旋底部材として、円筒状の周壁の内部に複数個の断面直角三角形状の弾性を有する突起１を放射状に等間隔で配置したもので、各突起の傾斜面を底面視で反時計回りに配列したものと記載している。また、内旋底部材として、円筒状の周壁の内部に複数個の断面直角三角形状の弾性を有する突起を放射状に等間隔で配置したもので、各突起の傾斜面で底面視で時計回りに配列したものを記載している。【０００５】  たとえば、特許文献１は、靴底の踵部に外旋底部材を形成し、靴底の小指球部に内旋底部材を形成したものである。即ち、靴底の踵部と小指球部だけにアオリ効果を付与させたものである。ところで、アオリ効果に関して、特許文献１は、「『アオリ歩行』とは、人間の正常な歩行形態であり、踵の外側から接地し、踵の内側に体重移動が行われ、その後小指の付け根側に体重移動が行われ、小指の付け根から親指の付け根へと体重移動が行われ、親指の付け根で蹴り出す歩行形態である。」と記載している（［００２７］）。このように、アオリ効果は、不連続な運動ではなく、踵部から親指の付け根に至る連続した運動である。従って、特許文献１に記載された靴のように、靴底の踵部と小指球部だけにアオリ効果を付与した靴では、完全または十分なアオリ効果を奏功することは不可能である。さらに、特許文献１に記載された靴は、靴底の構造以外に外旋底部材及び内旋底部材という２つの余計な部材を必要とし、全体の材料コストを引き上げる欠点がある。【０００６】  特許文献２は、アオリ効果を助長する靴として、「前足部、中足部および後足部を有する靴底の中足部にシャンクピ−スを備えた靴底構造であって、前記シャンクピースが、足のリスフラン関節の部分に交差する斜前端辺を有し、前記斜前端辺は、ソールセンターラインと２０°〜７０°の角度を成すように、足の前方に行くに従い外側に向かうように傾いており、前記斜前端辺を直線的に延長した延長線が小指の中足骨骨頭の小趾球から小指の趾骨の先端までの間を通るように、前記斜前端辺が配置されており、前記斜前端辺に略平行なラインに沿って靴底の屈曲を許容すると共に助長するようにした靴底構造。」を記載している。特許文献２に記載された靴は、ミッドソ−ルの下面にシャンクピ−スを固着することを必須要件としており、このシャンクピースは、踏まず部の変形を防止するが、一方、アオリ運動を阻害する欠点がある。【０００７】  特許文献３は、ストリップ形状またはワイヤ状のシャンクピースをミッドソールの底面側に設けることで、前足部に対し後足部を捩れやすくして、歩行時に足が捩れながら屈曲する「アオリ運動」を可能にするとした靴底構造を開示している。然しながら、特許文献３が記載している靴底の構造では、アオリ運動を行う際に、緩衝底の変形方向を適切に制御することができず、アオリ運動を促進することはできない。【０００９】  特許文献４及び５は接地面の適所に溝を形成することで靴底の屈曲性を高めて、歩行時のアオリ運動に合わせて靴底が屈曲するような構造にして靴底を開示している。然しながら、特許文献４及び５に記載された靴底では、溝が靴の幅方向全体にわたって形成されているので、靴底が前方部、中間部、後方部に三分割され、歩行または走行時のアオリ運動に合わせて靴底が適正に追随することでできず、アオリ運動を促進することはできない。【００１０】  特許文献６は、歩行時のベクトル方向が切り換わる境界線ＣＬ１を規準にして、靴底を領域Ｒ１〜Ｒ５に分割し、平行な上底２及び下底３と、上底２及び下底３と接続する垂直片４と、斜面５とから成る台形から成る横断面を有する突起１の斜面５を、それぞれ、領域Ｒ１〜Ｒ５において、適切に、爪先方向または踵方向に向けて突設して構成し、アオリ運動の軌道に沿って床反力に対してぶれにくい安定したものにしたアオリ運動を促進する靴底を開示している。即ち、特許文献６に開示された靴底は、靴底に、平行な上底及び下底と、上底及び下底と接続する垂直片と、斜面とから成る台形から成る横断面を有する突起構造をアオリ運動の軌道に沿って形成することにより、斜面の方向から力が加わった場合は、力が加わった方向へ簡単に曲がるが、垂直片の方向から力（Ｆ）が加わった場合は、力（Ｆ）が加わった方向へは曲がりにくくすることにより、同じ硬度のゴムであっても、力に対する強度差を出すようにして、アオリ運動を促進するようにしたものである。特許文献６に開示された靴底は、靴底の全面に斜面を有する特殊な台形構造体を有する突起を突設し、歩行時にその台形構造体の変形によりアオリ運動を促進するものである。従って、靴底の材料の硬度差によりアオリ運動を促進するものではないので、体重の軽い女性や小児に対してはアオリ効果が小さく、また、靴底全面がゴムでないとアオリ効果が奏功されないという改良すべき点がある。【００１１】
【特許文献１】特開２００９−１８１２４号公報
【特許文献２】特開２００１−１３７００４公報
【特許文献３】特開昭６３−１９４６０２号公報
【特許文献４】特開２０００−１８９２０５号公報
【特許文献５】特開２００１−５７９０１号公報
【特許文献６】特開２０１２−２００５８２号公報
【発明の開示】
【発明が解決しようとする課題】
【００１２】  発明が解決しようとする課題は、歩行時のアオリ運動を促進する構造の靴底を提供することである。
【課題を解決するための手段】
【００１３】  上記課題を下記の手段により解決される。
１．靴底に足の骨格構造を対応させ、靴底に、踵骨端部、立方骨および第５中足骨中央を結んだ想定線（Ａ１）、及び前記想定線（Ａ１）と連続していて第４中足骨中央、第３中足骨中央及び第２中足骨中央を経て母趾末節骨へ抜ける想定線（Ａ２）と、
踵骨端部、距骨、舟状骨、楔状骨及び第１中足骨骨頭を結んだ想定線（Ｂ１）、及び前記想定線（Ｂ１）と連続していて母趾基節骨を経て母趾末節骨へ抜ける想定線（Ｂ２）とを描き、
前記想定線（Ａ１）及び（Ａ２）、及び（Ｂ１）並びに（Ｂ２）で囲繞された部分を領域（Ｒ１）、前記想定線（Ａ２）から、時計面において１２時と３時の間（左足靴底にあっては９時と１２時の間）を領域（Ｒ２）、及び前記想定線（Ｂ１）から６時と９時の間（左足靴底にあっては３時と６時の間）を領域（Ｒ３）とした靴底において、
前記領域（Ｒ２）および前記領域（Ｒ３）の材料の硬度（Ｃ  ＴＹＰＥ）を同じにし、且つ、前記領域（Ｒ１）の材料の硬度（Ｃ  ＴＹＰＥ）を、前記領域（Ｒ２）および（Ｒ３）の材料の硬度（Ｃ  ＴＹＰＥ）より低くすることによりアオリ効果を向上させる。【００１４】２．前記１項において、領域（Ｒ２）および領域（Ｒ３）の材料の硬度（Ｃ  ＴＹＰＥ）と、領域（Ｒ１）の材料の硬度（Ｃ  ＴＹＰＥ）の差を９〜２１度の範囲に設定する。【００１５】３．前記１または２項において、領域（Ｒ１）の材料の硬度（Ｃ  ＴＹＰＥ）を５５±３度、領域（Ｒ２）および領域（Ｒ３）の材料の硬度（Ｃ  ＴＹＰＥ）を７０±３度に設定する。
【発明の効果】
【００１６】  請求項１に記載した発明により、靴底を、アオリ運動の軌跡を中心にした領域（Ｒ１）と、前記領域（Ｒ１）から、時計面において１２時と３時の間（左足靴底にあっては９時と１２時の間）を領域（Ｒ２）、及び前記領域（Ｒ１）から６時と９時の間（左足靴底にあっては３時と６時の間）を領域（Ｒ３）と、三つの領域に分割し、前記領域（Ｒ２）及び前記領域（Ｒ３）を構成する材料の硬度（ＣＴＹＰＥ）を同じにし、且つ、前記領域（Ｒ１）を構成する材料の硬度（ＣＴＹＰＥ）を、前記領域（Ｒ２）及び前記領域（Ｒ３）を構成する材料の硬度（ＣＴＹＰＥ）より、低くした。その特殊な構造により、アオリ運動を伴う歩行運動中に、アオリ運動上に位置する材料硬度の低い領域（Ｒ１）が、領域（Ｒ１）より外側にあって、しかも領域（Ｒ１）より材料硬度が高い領域（Ｒ２）および（Ｒ３）によってあおられ、歪が発生し、歪んだ箇所に足圧が負荷し易くない、アオリ運動を促進する効果を奏功する。さらに、靴底のアオリ運動軌跡上の材料を硬度が低い材料にするので、比較的体重が軽い女性や幼児にもアオリ運動を促進させる効果が奏功される。他方、従来技術のように、靴底に異形断面構造を有する複数の突起を特定のパターンで突設させ、歩行運動の際にそれらの突起に負荷される力により、同じ硬度の材料でも力に対する強度差を出すことにより、アオリ効果を奏功させるタイプの場合、体重の軽い女性や幼児の場合は、十分なアオリ効果を得ることができないという欠点があった。【００１７】  請求項２に記載した発明により、請求項１に記載した発明において、領域（Ｒ２）および領域（Ｒ３）の材料の硬度（Ｃ  ＴＹＰＥ）と、領域（Ｒ１）の材料の硬度（Ｃ  ＴＹＰＥ）の差を９〜２１度の範囲に設定することにより、領域（Ｒ２）および領域（Ｒ３）の材料の硬度（Ｃ  ＴＹＰＥ）をそれぞれ同じにした上で、領域（Ｒ２）および領域（Ｒ３）の材料の硬度（Ｃ  ＴＹＰＥ）と、領域（Ｒ１）の材料の硬度（Ｃ  ＴＹＰＥ）の差を９〜２１度の範囲に設定することにより、材料硬度が高い領域（Ｒ２）および領域（Ｒ３）に挟まれた状態の領域（Ｒ１）は、歩行運動による歪みが大きくなり、アオリ効果が一段と加速される。【００１８】  請求項３に記載した発明により、前記領域（Ｒ１）の材料の硬度（Ｃ  ＴＹＰＥ）を５５±３度、前記領域（Ｒ２）および前記領域（Ｒ３）の材料の硬度（Ｃ  ＴＹＰＥ）を７０±３度と設定したので、請求項２に記載した発明と同じように、領域（Ｒ２）および領域（Ｒ３）の材料の硬度（Ｃ  ＴＹＰＥ）と、領域（Ｒ１）の材料の硬度（Ｃ  ＴＹＰＥ）の差を９〜２１度と比較的広い範囲で、特定の材料を選択することができ、材料の選択の幅が広がる。
【図面の簡単な説明】
【００１９】
【図１−１】ヒトの歩行時の足の運動を４つのステップに分解した概念図
【図１−２】ヒトの歩行時の足圧の分布状態を足圧分布測定システム「Ｆスキャン」で測定した結果を、図１−１の▲１▼〜▲４▼の４つのステップに圧縮して画いた概念図
【図２】足圧分布測定システム「Ｆスキャン」で測定した歩行時の１〜１０の各ステップにおける足圧の分布と力のベクトル方向を示す概念図。
【図３−１】歩行時の力の方向と量（Ｎ：単位、ニュートン）を示す概念図。
【図３−２】歩行時の床反力の方向と量（Ｎ：単位、ニュートン）を示す概念図。
【図４】歩行時のベクトルと床反力の方向を示す概念図。
【図５】靴底に足の骨格構造を対応させ、アオリ運動軌跡を中心に、３つの領域を示した透視底面図
【図６】図５の透視斜視図。
【図７−１】本発明の一実施例による靴底の構造を示す概念図の底面図。
【図７−２】本発明の一実施例による靴底の構造を示す概念図の左側面図。
【図７−３】本発明の一実施例による靴底の構造を示す概念図の右側面図。
【図７−４】［図７−１］のＩ―Ｉ面断面図。
【図７−５】［図７−１］のＩＩ―ＩＩ面断面図。
【発明を実施するための形態】
【００２０】
【実施例１】
【００２１】  添付図面を参照して発明を実施するための最良の形態を説明する。図１は、ヒトが歩行する際の足の運動を大まかに▲１▼〜▲４▼の４つのステップに分解し、それぞれのステップにおける足の部位と、曲線で示した縦方向アーチの連動状態を示す概念図である。ステップ▲１▼で、膝を伸ばして踵から着地する。ステップ▲２▼で、踵にかかった重心は外側アーチに沿って移動し、踵と踏みつけ部が着地する。ステップ▲３▼で、外側アーチに沿って移動した重心は第５中足骨の骨頭部から母趾側に移動し、爪先における蹴上げ動作の初期運動に移行する。ステップ▲４▼で、ステップ▲３▼で母趾側に移動した重心は、親指の方向に抜けていき、母趾と第２趾を使って地面を蹴る。この連続した体重の移動を「アオリ運動」という。換言すれば、「アオリ運動」は、足の回外運動と回内運動の二つの運動が組み合わさった運動で、足の縦アーチと横アーチを利用することにより、足が歩行中に荷重中心を後方→前方へと移動させながら同時に内側⇔外側にもヒラヒラと移動させる運動をいうこともできる。【００２２】  上述した歩行する際の足の運動状態を足に負荷される足圧の分布状態から検討する。図１−２は、ヒトが歩行する際の足に負荷される、いわゆる足圧の分布状態を足圧分布測定システム「Ｆスキャン」で測定した結果を、図１−１の▲１▼〜▲４▼の４つのステップに圧縮して図に画き起こしたものである。図１−２に示したように、ステップ▲１▼で、膝を伸ばして踵から着地すると、踵骨の中心に最も大きな足圧が負荷され、ほぼ等間隔で足圧が低減し、ステップ▲１▼で踵にかかった足圧はステップ▲２▼外側アーチに沿って踏みつけ部に移動し、外側アーチに沿って移動した足圧はステップ▲３▼で、第５中足骨の骨頭部から母趾側に移動し、爪先における蹴上げ動作の初期運動に移行し、ステップ▲４▼で、ステップ▲３▼で母趾側に移動した足圧は、親指の方向に抜ける。【００２３】  図２は、足圧分布測定システム「Ｆスキャン」で測定した歩行時の１〜１０の各ステップにおける足圧分布と力のベクトル方向を測定した結果を示す概念図である。矢印（→→）が力の方向である。力の大きさを白（明度１００％）〜黒（明度０％）の白〜灰色〜黒に至る６段階のグレースケールで表している。即ち、白→灰色→黒に至る６段階毎に力が大きくなっていることが視認される。さらに、歩行時のベクトル方向は、踵が着地した時点から爪先の蹴り出しへ向かって矢印方向へ力がかかっているが、逆に踵が床から離れた時点からは踵着地時のベクトルとは逆方向へ力が加わっていること（ステップ６〜１０）が視認される。【００２４】  図３は、歩行時のベクトルと床反力を数値化した概念図である。図３−１は、歩行時の力の方向と量を示す概念図で、図３−２は、歩行時の床反力の方向と量を示す概念図である。図３においてＮは、力の単位ニュートンである。【００２５】  図４は、図１〜図３の理論及び実験による解析結果を理解し易いように図案化したアオリ運動の概念図で、アオリ運動は、うねった川の流れのように発生していることが、図４により視認される。従って、靴底の構造の設計に当たっては、アオリ運動を阻害しないように、アオリ運動の軌道（流れ）上��靴底の構造は、床反力に対してぶれにくい安定したものにすることが重要である。【００２６】  図５は，靴底に足の骨格構造を対応させ、アオリ運動軌跡を中心に、３つの領域を示した透視底面図である。請求項１にも記載したように、本発明の一実施例による靴底は、靴底に足の骨格構造を対応させ、靴底に、踵骨端部（１）、立方骨（２）および第５中足骨中央（３）を結んだ想定線（Ａ１）、及び前記想定線（Ａ１）と連続していて第４中足骨中央（４）、第３中足骨中央（５）及び第２中足骨中央（６）を経て母趾末節骨（７）へ抜ける想定線（Ａ２）と、踵骨端部（１）、距骨（８）、舟状骨（９）、楔状骨（１０）及び第１中足骨骨頭（１１）を結んだ想定線（Ｂ１）、及び前記想定線（Ｂ１）と連続していて母趾基節骨（１２）を経て母趾末節骨（７）へ抜ける想定線（Ｂ２）とを描き、前記想定線（Ａ１）及び（Ａ２）、及び（Ｂ１）並びに（Ｂ２）で囲繞された部分を領域（Ｒ１）、前記想定線（Ａ２）から、時計面において１２時と３時の間（左足靴底にあっては９時と１２時の間）を領域（Ｒ２）、及び前記想定線（Ｂ１）から６時と９時の間（左足靴底にあっては３時と６時の間）を領域（Ｒ３）とし、前記領域（Ｒ２）および前記領域（Ｒ３）の材料の硬度（Ｃ  ＴＹＰＥ）を同じにし、且つ、前記領域（Ｒ１）の材料の硬度（Ｃ  ＴＹＰＥ）を、前記領域（Ｒ２）および前記領域（Ｒ３）の材料の硬度（Ｃ  ＴＹＰＥ）より低くすることによりアオリ効果を向上させたことを特徴とする。【００２７】  本発明による靴底の材料は、特段に限定されないが、天然ゴム、各種合成ゴム、エチレンー酢酸ビニル共重合体（ＥＶＡ）、熱可塑性エラストマー等各種合成樹の中から物性、コスト等を勘案して適宜選択される。前述した構造を有する従来技術では、全面を天然ゴムまたは各種合成ゴムで製造しないと、アオリ効果が発揮されなかったが、本発明では、ＥＶＡ単独でもアオリ効果を奏功することができるので、ゴムを部分的に使用することにより、軽量化や踵のデザインの多様化を図ることができる。また、本発明の靴底材として発泡体を使用することができる。すなわち、硬度が比較的高い発泡樹脂と、硬度が比較的低い発泡樹脂を併用することもできる。具体的には、ＥＶＡ、発泡ウレタン、発泡ゴム等が例示される。【００２８】  本発明では、靴底の領域（Ｒ２）および領域（Ｒ３）の材料の硬度（Ｃ  ＴＹＰＥ）を同じにし、領域（Ｒ１）の材料の硬度（Ｃ  ＴＹＰＥ）との差を９〜２１度の範囲に設定することが好ましい。領域（Ｒ２）および領域（Ｒ３）の材料の硬度（Ｃ  ＴＹＰＥ）を同じにし、領域（Ｒ１）の材料の硬度（Ｃ  ＴＹＰＥ）との差を９〜２１度と、比較的広い範囲に設定することにより、材料硬度が高い領域（Ｒ２）および領域（Ｒ３）に挟まれた状態の領域（Ｒ１）は、歩行運動による歪みが大きくなり、アオリ効果が一段と加速されることが実証された。具体的には、領域（Ｒ１）の材料の硬度（Ｃ  ＴＹＰＥ）を５５±３度、（Ｒ２）および前記領域（Ｒ３）の材料の硬度（Ｃ  ＴＹＰＥ）を７０±３度の範囲に設定することが好ましい。領域（Ｒ１）の材料の硬度（Ｃ  ＴＹＰＥ）を５５±３度、前記領域（Ｒ２）および前記領域（Ｒ３）の材料の硬度（Ｃ  ＴＹ���Ｅ）を７０±３度と設定したので、それぞれの材料の選択の幅が広がり、使用者の年齢、性別、健康状態等諸条件を勘案して、多様な材料の組み合わせが可能となる。【００２９】  ここで、領域（Ｒ１）、領域（Ｒ２）および領域（Ｒ３）の厚さに関して説明する。図６は，図５の透視斜視図で、領域（Ｒ１）、領域（Ｒ２）および領域（Ｒ３）の底材が厚さをもっていることを示している。また、図７の各図は，本発明の一実施例による靴底の構造を示す概念図で、［図７−１］は底面図、［図７−２］は左側面図、［図７−３］は右側面図、［図７−４］は、［図７−１］のＩ―Ｉ面断面図、［図７−５］は、［図７−１］のＩＩ―ＩＩ面断面図である。図６および図７の各図を参照すれば、本発明の一実施態様の靴底が、どのような厚さを有しているかが理解される。図７−１において黒色で図示した箇所が領域Ｒ１、白色の箇所がそれぞれＲ２およびＲ３である。図７−２および図７−３を参照すれば、Ｒ１が厚さをもっていることが理解されるが、さらに、図７−４を参照すれば、靴の踏みつけ部分における領域Ｒ１の厚さが、靴の外側方向に向かって徐々に薄くなっていて、逆に領域Ｒ２の厚さが、靴の外側方向に向かって徐々に厚くなっていることが理解される。また、図７−５を参照すれば、靴の踵部分における領域Ｒ１の厚さが、靴の外側方向に向かって徐々に厚くなっていて、逆に領域Ｒ３の厚さが、靴の外側方向に向かって徐々に薄くなっていることが理解される。このように、Ｒ１、Ｒ２、およびＲ３の厚さ変化をもたせることにより、均等厚みにするより、一層アオリ効果が促進される。とくに、このような構造にすることにより、体重の軽い女性、幼児、または高齢者も、歩行運動中、比較的容易に領域Ｒ１に歪を発生することができ、それがアオリ効果の促進につながる。
靴の踏みつけ部分における領域Ｒ１の厚さが、靴の外側方向に向かって徐々に薄くなっていく傾斜度、あるいは最大厚さと最小厚さとの比率は、特段に限定されないが、最少厚から最大厚の傾斜度は３〜１５度の範囲が好ましい。３度以下の場合、アオリ効果の促進に寄与する度合いが小さく、１５度以上の場合、歩行に支障をきたす。他方、靴の踵部分における領域Ｒ１の厚さが、靴の外側方向に向かって徐々に厚くなっていく傾斜度、あるいは最大厚さと最小厚さとの比率は、特段に限定されないが、最少厚から最大厚の傾斜度３〜５０度の範囲が好ましい。３度以下の場合、アオリ効果の促進に寄与する度合いが小さく、５０度以上の場合、歩行に支障をきたす。
【符号の説明】
【００３０】１    踵骨端部
２    立方骨
３    第５中足骨中央
４    第４中足骨中央
５    第３中足骨中央
６    第２中足骨中央
７    母趾末節骨
８    距骨
９    舟状骨
１０  楔状骨
１１  第１中足骨骨頭
１２  母趾基節骨
Ａ１  想定線
Ａ２  想定線
Ｂ１  想定線
Ｂ２  想定線
Ｒ１  領域
Ｒ２  領域
Ｒ３  領域
【図１−１】
2015039625.tif 000003
【図１−２】
2015039625.tif 000004
【図２】
2015039625.tif 000005
【図３−１】
2015039625.tif 000006
【図３−２】
2015039625.tif 000007
【図４】
2015039625.tif 000008
【図５】
2015039625.tif 000009
【図６】
2015039625.tif 000010
【図７−１】
2015039625.tif 000011
【図７−２】
2015039625.tif 000012
【図７−３】
2015039625.tif 000013
【図７−４】
2015039625.tif 000014
【図７−５】
2015039625.tif 000015